(57)【要約】      （修正有）【課題】取付箇所が例えばコンクリート壁等の釘の打ち込み、ネジのねじ込み等が困難な取付面でも、また、打ち込み、ねじ込み等が可能であっても取付面に傷をつけることなく、簡単に取付け設置できるばかりでなく、取付箇所の変更、取り外し等も容易で、取り扱いも簡易である暖簾を提供する。【解決手段】暖簾本体１の上部裏面に、取付箇所に付着される取付面ファスナー３が接離自在に接合されている本体面ファスナー２を配装して成り、取付面ファスナー３は、剥離自在な離型紙４によって被覆されている粘着部５を備える。【選択図】図１
0003196474.tif 000002
【実用新案登録請求の範囲】
【請求項１】
暖簾本体の上部裏面に、取付箇所に付着される取付面ファスナーが接離自在に接合されている本体面ファスナーを配装して成ることを特徴とする暖簾。
【請求項２】
取付面ファスナーは、剥離自在な離型紙によって被覆されている粘着部を備えている請求項１に記載の暖簾。
【請求項３】
暖簾本体の上部裏面に、剥離自在な離型紙によって被覆されている粘着部を備えている取付面ファスナーが接離自在に接合されている本体面ファスナーを、この本体面ファスナーの裏面によって固定して成ることを特徴とする暖簾。
【考案の詳細な説明】
【技術分野】
【０００１】
この考案は、建物の出入り口その他の開口部に取り付けるに際し、取付箇所に傷等をつけずに、また釘、ネジ等によっては取付困難なコンクリート面その他にも容易に取り付けできるようにした暖簾に関する。
【背景技術】
【０００２】
従来から、建物における出入り口等の開口部その他では、開閉自在でくぐり抜けることができるようにした簡単な間仕切りとして暖簾を吊り下げ状に取り付けることが多い。このような暖簾は、例えば布帛製の比較的に柔らかな素材によって適宜幅員で分割された態様で形成されている。そのため、これを開口部に取り付けるには、例えば特許文献１にあるように、暖簾本体の上部に形成した筒状部分に暖簾自体を吊り下げ支持する支持棒を挿通させ、この支持棒を開口部その他に固定した金具ネジに掛けることで取り付けられている。
【先行技術文献】
【特許文献】
【０００３】
【特許文献１】特開２００７−３３３１９８号公報
【考案の概要】
【考案が解決しようとする課題】
【０００４】
ところがこの上記した特許文献１の金具ネジによると、開口部における取付面がねじ込み可能な例えば木部であればこれの取り付けは可能であっても、コンクリート面、アルミニウム等を素材とする金属部、土壁等であると釘、ネジ等の打ち込み、ねじ込み等は簡単にはできないから、これらの取付箇所には暖簾を取り付けることは容易ではない。しかも、木部であっても、打ち込み・ねじ込み後では、そのための傷が残り、修復の手間が掛かり面倒でもある。また、取付箇所に凹凸等があれば、支持棒を取付面に沿って配置することは困難であるから、例えば彎曲していたり、段差があったりすれば、それに応じた支持棒の加工が必要であり、同じく面倒である。
【０００５】
そこでこの考案は上述したような従来存した諸事情に鑑み案出されたもので、その目的は取付箇所が例えばコンクリート壁等の釘の打ち込み、ネジのねじ込み等が困難な取付面でも傷をつけることなく、簡単に取付け設置できるようにし、また取付箇所の変更、取り外し等も容易で、取り扱いも簡易である暖簾を提供することにある。
【課題を解決するための手段】
【０００６】
上述した課題を解決するため、この考案にあっては、後述する考案を実施するための形態における使用符号を付記して説明すると、暖簾本体１の上部裏面に、取付箇所に付着される取付面ファスナー３が接離自在に接合されている本体面ファスナー２を配装して成ることを特徴とする。
取付面ファスナー３は、剥離自在な離型紙４によって被覆されている粘着部５を備えて構成することができる。
また、暖簾本体１の上部裏面に、剥離自在な離型紙４によって被覆されている粘着部５を備えている取付面ファスナー３と、この取付面ファスナー３に接離自在に接合されている本体面ファスナー２を、この本体面ファスナー２の裏面によって固定して成ることを特徴とする。
【０００７】
以上のように構成されたこの考案に係る暖簾にあって、暖簾本体１自体は、離型紙４が剥離されることで露出される粘着部５によって所定の取付箇所に付着され、付着されることによって、相互に接合されている面ファスナー２，３を介して暖簾本体１自体を取付箇所で吊り下げ支持させる。
相互に接合されている接離自在な面ファスナー２，３は、これらの面ファスナー２，３相互の離反によって取付面から暖簾本体１を取り外させ、不使用時では一時的にでも別に保管可能にさせる。
取付面ファスナー３の粘着部５を被覆している離型紙４は、暖簾本体１に固定されて、相互に接合されている面ファスナー２，３それぞれを保護し、取付箇所に取り付けるときの粘着部５による付着性を維持させる。
【考案の効果】
【０００８】
この考案は以上説明したように構成されているため、相互に接離自在に接合されている面ファスナー２，３が配装されている暖簾本体１を、取付面ファスナー３の粘着部５によって所定の取付箇所に付着させることで簡単に取り付けでき、しかも取付箇所に傷をつけず、従来の釘止め、ネジ止めが困難な場所であっても容易に設置できる。しかも、取付面に凹凸があったり、段差があったりしてもそれに沿って順次に取り付ければよいから、従来の支持棒による支持に比し、設置の自由度が増大し、取り扱いも便利である。また、取付箇所に付着の取付面ファスナー３から本体面ファスナー２を離反させることで、使用しないときの暖簾本体１を取付箇所から取り外し、別に保管しておくことができる。
【０００９】
すなわちこれはこの考案において、暖簾本体１の上部裏面に、取付箇所に付着される取付面ファスナー３が接離自在に接合されている本体面ファスナー２を配装して成るからであり、面ファスナー２，３を介しての取付箇所に対する付着取り付け、また、取り外し、多様な取付面への取り付け容易性等を図ることができる。
【００１０】
また、取付面ファスナー３は、剥離自在な離型紙４によって被覆されている粘着部５を備えているから、この粘着部５によって所定の取付箇所に付着でき、接合されている面ファスナー２，３によって暖簾本体１を吊り下げ状に取付箇所に支持できる。
【００１１】
相互に接合されている面ファスナー２，３は接離自在であるから、暖簾本体１の不使用時では、取付箇所に付着の取付面ファスナー３から、本体面ファスナー２が固定されている暖簾本体１を取り外すことができ、取り外した暖簾本体１は別に保管できる。しかも、不使用時では、従来であれば支持棒と共に保管する面倒な手間が必要であったのに比し、暖簾本体１のみを例えば折り畳み保管すればよいから、取り扱いも容易である。また、使用時では面ファスナー２，３相互を接合することで、容易に暖簾本体１を取り付けできるので、便利である。
【００１２】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１３】
【図１】この考案を実施するための一形態を示す分解斜視図である。
【図２】同じく取り付け使用状態の断面図である。
【考案を実施するための形態】
【００１４】
以下、図面を参照してこの考案を実施するための一形態を説明すると、図において示される符号１は暖簾本体であり、例えば所定幅員、適宜な高さ・長さに設定された布帛その他の柔軟性ある素材によって、上部以外の下部部分等が適宜幅員で適数に分割形成されていて、必要に応じ適宜模様、文字その他が表示されて成る。
【００１５】
この暖簾本体１の上部の裏面には、取付箇所との間で接合可能としてある面ファスナーにおける雌雄のいずれか一方の本体面ファスナー２が固定配装されており、取付箇所に取り付けられる同構造の面ファスナーの雌雄のいずれか他方の取付面ファスナー３に接離自在に接合できるようにしてある。
【００１６】
暖簾本体１の本体面ファスナー２と、取付箇所の取付面ファスナー３とは、相互に接合可能であれば、いずれが雌構造、雄構造であっても差し支えはなく、またその接合位置は暖簾本体１と取付箇所との間で対応していればよい。
【００１７】
図示にあって、面ファスナー２，３は、相互に接合された状態で暖簾本体１に、本体面ファスナー２、すなわちこれの裏面によって固定されていると共に、取付箇所側の取付面ファスナー３の裏面には例えば剥離可能な離型紙４によって被覆されている粘着部５が形成されている。こうすることで、暖簾本体１に固定されている本体面ファスナー２に接合されている取付面ファスナー３から離型紙４を剥離して露出させた粘着部５によって所定の取付面にそのまま付着させることができる。
【００１８】
なお、これらの面ファスナー２，３は、暖簾本体１の上部の幅員方向に沿って長く形成された帯状を呈するも、所定間隔毎に配列されたスポット状とされるもいずれであっても良く、これらは例えば暖簾本体１の重量、取付面における凹凸・彎曲その他の面形態、状況その他によって適宜に選定される。
【００１９】
また、図示にあっての暖簾本体１は、これの上部に空洞状の筒部６を形成してあり、従来と同様に支持棒（図示せず）による吊り下げ形態も選択して設置できるようにしてある。もとより、この筒部６の形成は任意であり、面ファスナー２，３は扁平状となる筒部６の外側面に設けられる。
【００２０】
次に以上のように構成されているこの考案暖簾における使用の一例を説明すると、建物等における開口部である出入り口等の取付箇所において、開口部の上縁部外方位置から吊り下げるとき、暖簾本体１に設けられている面ファスナー２，３から離型紙４を剥離し、露出させた粘着部５によって取付箇所に付着する。粘着部５による取付箇所に対する付着時には、取付面に凹凸等があれば、その凹凸面に沿って順次に付着させればよい。
【００２１】
こうすることで、この考案暖簾を開口部に取り付けることができ、使用時では暖簾本体１をくぐり抜けたり、たくし上げたりすることで出入りし、また不使用時では面ファスナー２，３相互間を離反することで、取付面ファスナー３を開口部に残したままで暖簾本体１を取り外して別に保管でき、更に使用時では面ファスナー２，３相互を再度接合させることで暖簾本体１を吊り下げ支持できる。
【符号の説明】
【００２２】
１…暖簾本体                            ２…本体面ファスナー
３…取付面ファスナー                    ４…離型紙
５…粘着部                              ６…筒部
【図１】
0003196474.tif 000003
【図２】
0003196474.tif 000004